(57)【要約】【課題】テナントビル工事における空調・換気工事の作業工程を迅速化することが可能なチャンバーユニットを提供する。ビル工事におけるダクト部分の手直しや短期集中工事を回避することを可能にするダクト施工方法を提供する。作業工程を短縮化することにより作業コストの低減を図る。【解決手段】箱形のハウジングを有し、該ハウジングの内部が複数の互いに気密に分離された室に分割され、各室にダクトを接続するための１個又は複数の開口が設けられている空調・換気用チャンバーユニットである。開口の一部をチャンバーユニットの周囲空気の吸込口又はチャンバーユニットから周囲空間への吹出口とする。室の内面に断熱材又は吸音材を貼り付ける。【選択図】    図１
2006226640.tif 000002
【特許請求の範囲】
【請求項１】
箱形のハウジングを有し、該ハウジングの内部が複数の互いに気密に分離された室に分割され、各室にダクトを接続するための１個又は複数の開口が設けられていることを特徴とする空調・換気用チャンバーユニット。
【請求項２】
開口の一部をチャンバーユニットの周囲空気の吸込口又はチャンバーユニットから周囲空間への吹出口としたことを特徴とする請求項１記載の空調・換気用チャンバーユニット。
【請求項３】
室の内面に断熱材又は吸音材を貼り付けたことを特徴とする請求項１又は２記載の空調・換気用チャンバーユニット。
【請求項４】
ダクト工事の工程に合わせてチャンバーユニットを対象区域に設置し、
該チャンバーユニットに空調機や送風機側の固定ダクト又はフレキシブルダクトを接続し、
対象区域の内装プラン決定後に、チャンバーユニットのダクト接続用開口に固定ダクト又はフレキシブルダクトを接続し、
ダクトの他端を各吹出口又は吸込口と接続し、
チャンバーユニットのダクト接続用開口のうち使用しない個所には蓋をする、以上の工程からなることを特徴とするチャンバーユニットを用いたダクト施工方法。
【発明の詳細な説明】
【技術分野】
【０００１】
本発明は、空調及び／又は換気用のチャンバーユニットに関し、特に上階の床スラブと天井ボードとの間の天井裏空間に設置される複数のダクトを接続するためのチャンバーユニットと、それを用いたダクト施工方法の改良に関する。
【背景技術】
【０００２】
従来のテナントビル工事では、テナント決定まではメインダクトを各区画に配置しておき、テナント決定後に個々のテナントの要求に応じてダクト工事を行っていた。このため、テナント決定まで本格的なダクト工事に着手できず、テナント決定後に短期集中工事となり、作業人員を大量に投入する必要が生じるなど、作業効率が悪かった。
【０００３】
複数のダクトの接続部・分岐部に必要となる従来のチャンバーユニットは、メーカーによってその形状とダクト接続口の個数が規格化されており、ダクト工事はチャンバーユニットの配置や向きをも考慮しなければならず、工事の弾力性に欠ける面があった。
【０００４】
例えば、空調の給気側については、メインダクトに接続された給気チャンバー又は給気ヘッダーを空調の対象区域の近くに設置し、テナント決定後に個々の要求に応じて、チャンバー又はヘッダーから先を長尺のフレキシブルダクト等のダクトで施工していた。排気（還気）側は、テナント決定まではメインダクトを各区画に配置し、テナント決定後に個々の要求に応じてダクトを施工していた。このため、チャンバー又はヘッダーまでの給気ダクトはテナント決定前に施工できるものの、排気（還気）ダクトの工事には着手できず、テナント決定後に短期集中工事となり、作業人員を大量に投入する必要が生じるなど、作業効率が悪かった。
【０００５】
また、テナントビルではそこに入居する店舗の数だけ、ダクトの設計図や施工図を作成する必要があり、現場の管理工数が増大していた。さらに、設計変更やテナントの変更による手直し、テナント内装プラン決定までの手待ち工事が増加していた。
【０００６】
空調ダクトの端部には吸込口を付けなければならないが、従来は金属製ダクトの末端に金網などを取り付けて吸込口とするか、あるいは吸い込み用チャンバーを設けてメインダクトとフレキシブルダクトなどで接続していた。一般に金属製ダクトは作業性が悪く、吸い込み用チャンバーを独立して設けるのはスペースの無駄とコスト高を生じていた。
【０００７】
本発明と関連するチャンバーユニットの従来例として次のようなものがある。  
【特許文献１】特開平９−１８９４４７「空調装置用エアチャンバーユニットおよびその施工方法」には、開閉式のエアチャンバーユニットで、伸縮可能なフレキシブルダクトを縮めた状態で収納可能なチャンバーユニットが記載されている。これを図１０に示す。図１０の平面図において、チャンバーユニット１０から６本のフレキシブルダクト２２が空気吹出口４６へと延伸している。
【発明の開示】
【発明が解決しようとする課題】
【０００８】
本発明の主たる目的は、テナントビル工事における空調・換気工事の作業工程を迅速化することが可能なチャンバーユニットを提供することにある。
本発明の他の目的は、テナントビル工事におけるダクト部分の手直しや短期集中工事を回避することを可能にするダクト施工方法を提供することにある。
本発明のさらに他の目的は、テナントビル工事における作業工程を短縮化することにより作業コストの低減を図ることにある。
【課題を解決するための手段】
【０００９】
前述した課題を解決するため、本発明はその第１の態様において、箱形のハウジングを有し、該ハウジングの内部が複数の互いに気密に分離された室に分割され、各室にダクトを接続するための１個又は複数の開口が設けられている空調・換気用チャンバーユニットを提供する。
【発明の効果】
【００１０】
分離された室の１個はＳＡ（給気チャンバー）とし、他の１個をＲＡ（排気チャンバー又は還気チャンバー）として、このチャンバーユニットを各テナントゾーンに先行設置すれば、内装プラン決定後のダクトワークの展開に柔軟性を持たせ、省力化・省コスト化を実現することができる。
【００１１】
開口の一部は、チャンバーユニットの周囲空気の吸込口又はチャンバーユニットから周囲空間への吹出口とすることにより、従来ダクト端部に設置していた吸込口や吹出口の設置工事を省くことができる。
【００１２】
ユニットの分岐口は、例えばワンタッチカップリングｘ６口ｘ２系統とし、ＲＡ側は天井チャンバー方式に対応させる。静圧を利用して分岐風量を均一化すればダンパーを省くことができる。
【００１３】
室の内面に、グラスウールなどの断熱材や吸音材を貼り付けることにより、周囲との断熱効果や省エネルギ効果を発揮させることができる。ワンタッチカップリングは工場で取付け作業を行えば、現場での作業工程が削減できる。軽量間仕切り壁のダクト配管の貫通パネルを先行取付けしておけば、開口・穴埋めなどの作業工程を省くことができる。オーバル吊りバンドを利用して、ＳＡとＲＡのダクトを共吊りして作業を迅速化することもできる。打ち込み銃による後打ち支持金物を用いて、内装プラン決定前の無駄なインサート工事を省くこともできる。
【００１４】
かくして、内装プランへのフレキシビリティー、少品種多量生産による資材単価の低減、現地取付け工数の削減と安全性の向上、付帯工事の削減、手直し・手待ち工事の削減、規格生産による資材の転用、設計・施工図作成と現場管理の工数削減、品質の均一化など多様な効果を達成することができる。
【００１５】
本発明はその第２の態様において、ダクト工事の工程に合わせてチャンバーユニットを対象区域に設置し、該チャンバーユニットに空調機や送風機側の固定ダクト又はフレキシブルダクトを接続し、対象区域の内装プラン決定後に、チャンバーユニットのダクト接続用開口に固定ダクト又はフレキシブルダクトを接続し、ダクトの他端を各吹出口又は吸込口と接続し、チャンバーユニットのダクト接続用開口のうち使用しない個所には蓋をする、以上の工程からなるチャンバーユニットを用いたダクト施工方法を提供する。
【００１６】
このダクト施工方法によれば、上述したように、内装プランへのフレキシビリティー、少品種多量生産による資材単価の低減、現地取付け工数の削減と安全性の向上、付帯工事の削減、手直し・手待ち工事の削減、規格生産による資材の転用、設計・施工図作成と現場管理の工数削減、品質の均一化などの効果を達成することができる。
【００１７】
以下、添付図面の実施態様を参照しながら、本発明によるチャンバーユニットとそれを用いたダクト施工方法についてさらに説明する。
【発明を実施するための最良の形態】
【００１８】
図１〜図５は本発明による好適なチャンバーユニットの例を表している。図１〜図３に示す第１の実施例では、チャンバーユニット１０は、正六角形（他の形状でもよい）の箱形に作られたハウジング１２の内部が、中仕切板１４によって、複数（ここでは２個）の互いに気密が保たれるように分離された上室１６と下室１８に分割されており、上室１６には常用径のフレキシブルダクト４１（内径２００φ）などを接続するための５個の開口２１〜２５が設けられ、下室１８には大径のフレキシブルダクト４２（内径３００φ）などを接続するための１個の開口３１が設けられている。上室１６の高さＨは２５０ｍｍ、下室１８の高さｈは２００ｍｍに設定されている。
【００１９】
すなわち、本発明のチャンバーユニットによれば、分離した２個の室をそれぞれ給気チャンバーと排気（還気）チャンバーに割り当てることが可能になり、従来２個のチャンバーユニットを必要としていたのが、１個で済むことになり、スペースの節約とコストの低減が可能になる。
【００２０】
ハウジング１２の上面には、大径の給気ダクト４０（３００φ）を接続するための開口２０が設けられている。下室１８の側面には、排気（還気）空気を吸い込むための小孔を多数あけた吸込口４４（３００ｘ１５０ｍｍ）が形成されている。
【００２１】
ハウジング１２の内面にはグラスウール１３が２５ｍｍの厚さで貼り付けられ、中仕切板１４の上室１６に面した側にもグラスウール１５が５０ｍｍの厚さで貼り付けられている。
【００２２】
図４に示す第２の実施例では、中仕切板１４の形状変更によって上室１６に設けられた５個の開口のうち１個は大径の給気ダクト４６（３００φ）が接続できるようになっている。
【００２３】
図５に示す第３の実施例では、図３の例における小孔を多数あけた吸込口４４の代わりに常用径のフレキシブルダクトなどを接続するための３個の開口５１〜５３が設けられている。
【００２４】
図６〜図９は、従来のダクト接続工法が本発明によってどのように改良されるかを対比した図である。図６は従来の工法でチャンバーユニットを使用しなかった場合の例であり、図６Ａの従来例では給気主管６１から分岐した給気ダクト６３からチャンバーユニットを介することなく各空調ユニットへとダクトが接続されており、一方排気主管６２に接続された排気ダクト６４からチャンバーユニットを介することなく排気用主管へとダクトが接続されている。これらの給気・排気ダクト６３，６４は原則としてテナントが決定してからでないとその設計・施工に着手できず、全体の作業の遅れを招いていた。
【００２５】
一方、図６Ｂでは、テナント決定前に本発明によるチャンバーユニット６５を設置することにより、給気主管６１から分岐する給気ダクト６６及び排気主管６２へと接続される排気ダクト６７は、テナント決定前でも施工できるから、全体の作業を迅速に進めることができる利点がある。
【００２６】
図７は従来の工法で吸い込みチャンバー７４ａを使用していた例であり、図７Ａの従来例では給気主管７１から分岐した給気ダクト７３からチャンバーユニットを介することなく各空調ユニットへとダクトが接続されており、一方排気主管７２に接続された排気ダクト７４の先端に吸い込みチャンバー７４ａが設けられ、排気ダクト７４の他端は排気用主管７２へと接続されている。給気ダクト７３は原則としてテナントが決定してからでないとその設計・施工に着手できず、全体の作業の遅れを招いていた。
【００２７】
一方、図７Ｂでは、テナント決定前に本発明によるチャンバーユニット７５を設置することにより、給気主管７１から分岐する給気ダクト７６及び排気主管７２へと接続される排気ダクト７７は、テナント決定前でも施工できるから、全体の作業を迅速に進めることができる利点がある。
【００２８】
図８は従来の工法で吹き出しチャンバー８３ａを使用していた例であり、図８Ａの従来例では給気主管８１から分岐した給気ダクト８３から吹き出しチャンバー８３ａを介して各空調ユニットへとダクトが接続されており、一方排気主管８２に接続された排気ダクト８４からチャンバーユニットを介することなく排気用主管へとダクトが接続されている。排気ダクト８４は原則としてテナントが決定してからでないとその設計・施工に着手できず、全体の作業の遅れを招いていた。
【００２９】
一方、図８Ｂでは、テナント決定前に本発明によるチャンバーユニット８５を設置することにより、給気主管８１から分岐する給気ダクト８６及び排気主管８２へと接続される排気ダクト８７は、テナント決定前でも施工できるから、全体の作業を迅速に進めることができる利点がある。
【００３０】
図９は従来の工法で吹き出しチャンバー９３ａと吸い込みチャンバー９４ａを使用していた例であり、図９Ａの従来例では給気主管９１から分岐した給気ダクト９３から吹き出しチャンバー９３ａを介して各空調ユニットへとダクトが接続されており、一方排気主管９２に接続された排気ダクト９４の先端に吸い込みチャンバー９４ａが設けられ、排気ダクト９４の他端は排気用主管９２へと接続されている。この例では、各チャンバー９３ａ，９４ａまでのダクトをテナント決定前に施工できる利点はあるが、天井裏の狭いスペースに２個のチャンバーユニットを設置するのはスペース的に困難であり、設置コストとメンテナンスコストから不利になる。
【００３１】
一方、図９Ｂでは、テナント決定前に本発明によるチャンバーユニット９５を１個設置するだけで、給気主管９１から分岐する給気ダクト９６及び排気主管９２へと接続される排気ダクト９７を、テナント決定前でも施工できるので、スペース上の制約が少なく設置コストとメンテナンスコストの両面で有利になる。
【産業上の利用可能性】
【００３２】
以上、詳細に説明したように、本発明によれば、テナントビル工事における空調・換気工事の作業工程を迅速化することが可能となり、テナントビル工事におけるダクト部分の手直しや短期集中工事を回避することが可能になり、さらに作業工程を短縮化することにより作業コストの低減を図ることができるなど、その技術的効果には極めて顕著なものがある。
【図面の簡単な説明】
【００３３】
【図１】本発明によるチャンバーユニットの斜視図。
【図２】本発明によるチャンバーユニットの平面図。
【図３】第１実施例によるチャンバーユニットの一部破断正面図。
【図４】第２実施例によるチャンバーユニットの一部破断正面図。
【図５】第３実施例によるチャンバーユニットの一部破断正面図。
【図６】従来工法と本発明の工法との比較を表す概略平面図。
【図７】従来工法と本発明の工法との比較を表す概略平面図。
【図８】従来工法と本発明の工法との比較を表す概略平面図。
【図９】従来工法と本発明の工法との比較を表す概略平面図。
【図１０】従来技術によるチャンバーユニットの平面図。
【符号の説明】
【００３４】
１０  チャンバーユニット
１２  ハウジング
１３，１５  グラスウール
１４  中仕切板
１６，１８  室
２０〜２５，３１，５１〜５３  接続用開口
４１，４２，４６  フレキシブルダクト
６５，７５，８５，９５  チャンバーユニット
【図１】
2006226640.tif 000003
【図２】
2006226640.tif 000004
【図３】
2006226640.tif 000005
【図４】
2006226640.tif 000006
【図５】
2006226640.tif 000007
【図６】
2006226640.tif 000008
【図７】
2006226640.tif 000009
【図８】
2006226640.tif 000010
【図９】
2006226640.tif 000011
【図１０】
2006226640.tif 000012